(57)【特許請求の範囲】
【請求項１】
センタサーバと車載用オーディオシステムとが通信網を介して接続され、前記センタサーバは、車種及び車載用オーディオシステムの機種ごとのオーディオ機器調整用データを記憶しているデータベースを有するシステムにおける車載用オーディオサービス方法であって、
前記車載用オーディオシステムが、前記センタサーバに対して、車種及び車載用オーディオシステムの機種に関するデータを送信するステップと、
前記センタサーバによって、前記データベースから抽出された受信したデータに対応したオーディオ機器調整用データを前記車載用オーディオシステムに対して送信するステップと、
前記車載用オーディオシステムが、受信したオーディオ機器調整用データに基づいてオーディオ機器の音響特性を調整するステップと、
を具備することを特徴とする車載用オーディオサービス方法。
【請求項２】
前記調整用データは、車両室内の周波数特性を補正するデータである請求項１に記載の車載用オーディオサービス方法。
【請求項３】
前記調整用データは、音場を補正するデータである請求項１に記載の車載用オーディオサービス方法。
【請求項４】
センタサーバと通信網を介して接続するための通信手段と、
前記センタサーバに対して、車種及び車載用オーディオシステムの機種に関するデータを送信する送信手段と、
前記センタサーバから、前記送信したデータに基づいて返信されてきたオーディオ機器調整用データに基づいてオーディオ機器の音響特性を調整する手段と、
を具備することを特徴とする車載用オーディオシステム。
【請求項５】
前記調整用データは、車両室内の周波数特性を補正するデータである請求項４に記載の車載用オーディオシステム。
【請求項６】
前記調整用データは、音場を補正するデータである請求項４に記載の車載用オーディオシステム。
【請求項７】
車載用オーディオシステムと通信網を介して接続するための通信手段と、
車種及び車載用オーディオシステムの機種ごとのオーディオ機器調整用データを記憶しているデータベースと、
前記車載用オーディオシステムから受信した、車種及び車載用オーディオシステムの機種に関するデータに対応したオーディオ機器調整用データを前記データベースから抽出して、前記車載用オーディオシステムに対して送信する手段と、
を具備することを特徴とするサービスセンタ。
【請求項８】
前記調整用データは、車両室内の周波数特性を補正するデータである請求項７に記載のサービスセンタ。
【請求項９】
前記調整用データは、音場を補正するデータである請求項７に記載のサービスセンタ。
【請求項１０】
センタサーバと車載用オーディオシステムとが通信網を介して接続され、前記センタサーバは、車両室内の周波数特性ごとのオーディオ機器調整用データを記憶しているデータベースを有するシステムにおける車載用オーディオサービス方法であって、
前記車載用オーディオシステムが、車両室内の周波数特性に関するデータを取得し、前記センタサーバに対して、取得した周波数特性に関するデータを送信するステップと、
前記センタサーバが、受信した周波数特性に関するデータに対応したオーディオ機器調整用データを前記データベースから抽出して、前記車載用オーディオシステムに対して送信するステップと、
前記車載用オーディオシステムが、受信したオーディオ機器調整用データに基づいてオーディオ機器の音響特性を調整するステップと、
を具備することを特徴とする車載用オーディオサービス方法。
【請求項１１】
センタサーバと通信網を介して接続するための通信手段と、
車両室内の周波数特性に関するデータを取得する取得手段と、
前記センタサーバに対して、取得した周波数特性に関するデータを送信する送信手段と、
前記センタサーバから、前記送信したデータに基づいて返信されてきたオーディオ機器調整用データに基づいてオーディオ機器の音響特性を調整する手段と、
を具備することを特徴とする車載用オーディオシステム。
【請求項１２】
車載用オーディオシステムと通信網を介して接続するための通信手段と、
複数の周波数特性に関するオーディオ機器調整用データを記憶しているデータベースと、
前記車載用オーディオシステムから受信した、車両室内の周波数特性に関するデータに対応したオーディオ機器調整用データを前記データベースから抽出して、前記車載用オーディオシステムに対して送信する手段と、
を具備することを特徴とするサービスセンタ。
【発明の詳細な説明】
【０００１】
【発明の属する技術分野】
本発明は、車載用等のオーディオシステムに対するサービス方法に関するものである。
【０００２】
【従来の技術】
カーオーディオを自動車に取り付けること、及び、取り付けたオーディオシステムの音響特性を調整することは、従来より、販売店が行うか、又はユーザが自ら行っていた。
【０００３】
【発明が解決しようとする課題】
カーオーディオの取付けは、オーディオシステムを取り付ける車種ごとに、また、オーディオの機種ごとに異なるので、販売店にとってもユーザにとっても困難な作業であった。また、オーディオシステム取付け後の音響特性の調整も、同様に、車種ごと及びオーディオの機種ごとに異なる。
【０００４】
本発明は、オーディオシステムの車両への取付け及び、オーディオシステムの音響特性の調整が簡単に行えるようにするオーディオサービス方法を提供することを目的とするものである。
【０００５】
【課題を解決するための手段】
本発明は、上記目的を達成するためになされたものである。
本発明の車載用オーディオサービス方法においては、センタサーバと、このセンタサーバと通信網を介して接続される車載用オーディオシステムとからサービスシステムが構成される。このシステムにおいて、前記センタサーバは、車載用オーディオシステムに対して、オーディオ機器調整用データ、及びオーディオ機器取付けデータを送信し、車載用オーディオシステムは、受信したオーディオ機器調整用データを使用して、自動的に音響特性を調整する。また、車載用オーディオシステムは受信したオーディオ機器取付けデータを表示し、ユーザは表示された取付け方法に基づいてオーディオ機器を車両に取り付ける。
【０００６】
なお、本発明の車載用オーディオサービス方法は、車載用だけでなく、一般用のオーディオシステムに対しても適用可能である。
【０００７】
【発明の実施の形態】
本発明の実施形態について図を用いて説明する。
図１は、本発明を車載用オーディオシステムに適用した場合の構成を示す。
オーディオサービスを提供するセンタサーバ１がインターネット２に接続される。オーディオサービスを受けるとき、ユーザは、携帯電話等の無線機３を車載用のオーディオシステム４と接続する。これにより、オーディオシステム４がインターネット２を介してセンタサーバ１と接続される。
【０００８】
センタサーバ１は、通常のサーバと同様に構成され、音響ＤＢ（以下、データベースを「ＤＢ」と略称する。）５と、取付けＤＢ６を具備している。さらに、センタサーバ１は、専用回線又はインターネット２を介して、自動車メーカーの端末７、オーディオシステムメーカーの端末８、オーディオシステムの取付けを代行する販売店の端末９と接続される。なお、図では、各端末７、８、９は１つだけを表示されているが、実際には複数のものが接続される。
【０００９】
音響ＤＢ５には、自動車名、オーディオ製品名ごとに、音場特性、ｆ特性を決定するデータが記憶されている。
取付けＤＢ６には、自動車名、オーディオ製品名ごとに、取付け方法が記憶される。また、自動車名、オーディオ製品名ごとに、取付けに必要な部品、機器追加の可否、追加機器の取付け方法が記憶される。さらに、取付けを代行する販売店に関するデータ、つまり、店名、住所、工賃等が記憶されている。
【００１０】
オーディオシステム４は、ＣＤ、ＭＤ、ラジオ等の音源１１で再生された音声信号が、ＤＳＰ１２で処理され、増幅器１３を通してスピーカ１４から出力される。ＤＳＰ１２の特性は、マイコン１５により制御される。マイコン１５は、オーディオシステム４全体の制御を行い、更に、マイク１６、タッチパネル等の入力部１７が接続される。マイク１６は、Ａ／Ｄ変換器１８を介してマイコン１５に接続される。オーディオシステム４は、携帯電話等の無線機３を介してインターネット２に接続される。
【００１１】
図２を用いて、図１のサービスシステムにおける処理の流れを説明する。
ユーザは、オーディオシステムを車両に取り付けようとするとき、又は、既に取り付けてあるオーディオシステムのコンポーネントを交換又は追加しようとするとき、オーディオサービスを受ける。また、オーディオシステムを車両に取り付けた後、オーディオシステムの音響特性を車両空間に合った特性に調整しようとするとき、又は、自分の好みの音場特性、ｆ特性に調整しようとするとき、オーディオサービスを受ける。
【００１２】
ユーザは、オーディオシステムサービスを受けようとするとき、携帯電話等の無線機３をマイコン１５に接続する。この結果、無線機３とオーディオシステム４とでユーザ端末１９が形成される。
ユーザは、無線機３の操作部又はオーディオシステム４の入力部１７を操作して、オーディオサービスの提供を行うセンタサーバ１にアクセスをする（ステップＳ１）。このとき、ユーザ端末１９の無線機３のＩＤ番号、アドレス番号等のデータが一緒に送信される。
【００１３】
センタサーバ１では、このアクセスに応じて、サービスの種類を表示した画面を返信する（ステップＳ２）。
図３は、サービスを選択する画面を示す。この画面は、無線機３の表示部、又はオーディオシステム４の表示部のいずれに表示される。サービス選択画面には、音響調整サービスを選択するボタン２１、取付けサービスを選択するボタン２２が設けられている。
【００１４】
ユーザがいずれかを選択すると、そのデータがセンタサーバ１に送信される（ステップＳ３）。
センタサーバ１は、ユーザから申し込まれたサービスが音響調整サービスであるか取付けサービスであるかを判定し（ステップＳ４）、各サービスに応じた画面を送信する（ステップＳ５、ステップＳ９）。
【００１５】
図４は、音響調整サービス発注画面を示す。この画面では、センタサーバ１から音響特性調整用のデータを得るために必要な各種の条件を入力する。
オーディオ機器を取り付ける自動車の車種を入力する枠２３と、オーディオ機器の製品名を入力する枠２４が設けられる。ユーザが希望する特性を選択するために、音場特性を選択する領域とｆ特性を選択する領域が設けられる。ユーザは選択ボタン２５のどれかを選択することで、コンサートホール、教会、野球場等のユーザが希望する音場を選択する。また、選択ボタン２６のどれかを選択することで、ボーカルの強調、特定の楽器の強調等を選択する。ユーザが希望の特性を選択し、ＯＫボタン２７を選択すると、各データがセンタサーバ１に送信される（ステップＳ６）。
【００１６】
センタサーバ１では、送信された各データに基づいて、音響ＤＢ５からユーザの要求に適合するオーディオ機器調整用データを抽出する。そして、このデータをユーザ端末１９に送信する（ステップＳ７）。
オーディオシステム４では、オーディオ機器調整用データ等を受信すると、ＤＳＰ１２の特性を、受信したデータで設定をする（ステップＳ８）。
【００１７】
以上説明したオーディオサービス方法によれば、ユーザは、音響特性の設定等について専門的な知識がなくても、自動的に自分の好みに合った音場、ｆ特性を得ることができる。
図５は、ステップＳ４（図２）で、取付けサービスが要求されたときに、センタサーバ１からユーザ端末１９に送信される取付けサービス発注画面を示す。
【００１８】
この画面を使用する状況として、オーディオシステムを新たに車両に取り付ける場合と、既に車両に取り付けてあるオーディオシステムの一部の機器を交換又は追加をする場合とがある。
画面には、オーディオ機器を取り付ける自動車名（車種及びグレード）を入力する枠２３が設けられる。新たにオーディオシステムを取り付ける場合のため、オーディオ製品名を入力する枠２８が設けられる。オーディオ機器の一部を交換又は追加する場合のため、既存のオーディオ製品名を入力する枠２９と、交換する機器名を入力する枠３０と、追加する機器名を入力する枠３１が設けられる。ユーザが所定のデータを入力してＯＫボタン２７を選択すると、各データがセンタサーバ１に送信される（ステップＳ１０）。
【００１９】
センタサーバ１では、送信された各データに基づいて、取付けＤＢ６からユーザの要求に適合する取付け方法を抽出する。そして、このデータをユーザ端末１９に送信する（ステップＳ１１）。
図６は、取付け方法等を表示した画面を示す。なお、実際の画面には、図示の内容の一部しか表示できないので、ユーザは、画面をスクロールすることにより全体の説明を見る。この画面では、ユーザから送信されてきた自動車名、オーディオ製品名が確認のため表示され、続いて、取付け手順が表示される。この取付け手順の説明中に、取付けに必要な部品名が表示される。各取付け部品ごとに発注ボタン３２が設けられている。更に続けて、取付けを代行する販売店に関するデータ（店名、住所、工賃）が表示される（ステップＳ１２）。各販売店ごとに派遣要請ボタン３３が設けられる。
【００２０】
ユーザは、取付け部品を取り寄せようとするときは、その部品の発注ボタン３２を選択する。また、工賃等を確認の上、取付け代行を要請するときは、希望の販売点の派遣要請ボタン３３を選択する。ユーザは、最終的に部品の取り寄せ又は派遣要請を行うことを決めた場合には、ＯＫボタン２７を選択し、取り止める場合にはキャンセルボタン３４を選択する（ステップＳ１３）。ＯＫボタン２７が選択されると、取り寄せ部品又は派遣要請のデータがセンタサーバ１に送信される。
【００２１】
センタサーバ１は、データを受信し、そのデータが部品の発注であった場合は、取付けＤＢ６から抽出した自動車メーカー端末７、オーディオメーカー端末８又は販売店端末９に発注データを送信する（ステップＳ１４）。この場合のデータは、ユーザの住所、氏名、部品名等が含まれる。オーディオメーカー端末８又は販売店端末９が発注データを受信すると、メーカー又は販売店は、受注した取付け部品をユーザに発送する。これにより、取付け部品の自動発注及び自動発送ができる。
【００２２】
派遣要請の場合は、販売店端末９にデータを送信する（ステップＳ１４）。この場合のデータには、ユーザの住所、氏名、車種名、システム名等が含まれる。この派遣要請に対して、販売店端末９から、センタサーバ１を経由して、取付け作業の日程等がユーザ端末１９に通知される。
ユーザは、取付けのための派遣を要請し、日程等が通知されてくれば、それを待つ。また、ユーザは、自分で取り付けることを決め、取付け部品が揃えば、画面に表示される取付け方法に従って、システムの取付け、追加機器の取付け等を行う。
【００２３】
以上説明した取付けデータ配信サービスによれば、車種、オーディオシステムの機種に応じた取付け方法が得られるので、ユーザは、その指示に従うだけで適切な取付けを行うことができる。また、取付け部品が必要であればそれを迅速に取り寄せることができる。さらに、自分で取り付けられないと判断したときには、取扱いが可能な店に迅速に依頼をすることができる。
【００２４】
（その他の実施形態）
以上説明した例では、音響特性調整用のデータを得るために必要な条件として、ユーザ端末１９側からセンタサーバ１へ、車種をデータとして送っている（図２、ステップＳ６）。これに代えて、実際の車室内のｆ特性を測定して、その結果をセンタサーバ１へ送るようにしても良い。
【００２５】
この場合、スピーカ１４からピンクノイズを車室内に出力し、マイク１６で集音する。集音したノイズは、車室内のｆ特性に対応したものとなる。マイコン１５は、集音したノイズを解析し、車室内のｆ特性データを得る。このｆ特性データを前述の車種データの代わりにセンタサーバ１に送信する。
センタサーバ１では、音響ＤＢ５として、車室のｆ特性に応じた音響調整用データを保持しておき、ユーザ端末１９から送られてきたｆ特性に応じた調整用データを返信する。
【００２６】
また、取付け部品を受注したセンタサーバ１では、メーカーに発注をしている（図２、ステップＳ１４）が、各メーカーに対して逆オークションを行って、最適なメーカーを選択するようにすることもできる。
また、ユーザは、取付けデータの配信を希望する場合は、ユーザ端末１９としてパソコンを使用することもできる。
【００２７】
【発明の効果】
本発明によれば、オーディオシステムの車両への取付け及び、オーディオシステムの音響特性の調整が簡単に行えるようにするオーディオシステムサービス方法を提供することができる。
【図面の簡単な説明】
【図１】本発明を適用したサービスシステムの構成を示す図。
【図２】図１のサービスシステムにおける処理の流れを示すフローチャート。
【図３】図２の処理における画面を示す図（その１）。
【図４】図２の処理における画面を示す図（その２）。
【図５】図２の処理における画面を示す図（その３）。
【図６】図２の処理における画面を示す図（その４）。
【符号の説明】
１…センタサーバ
２…インターネット
３…無線機
４…オーディオシステム
５…音響ＤＢ
６…取付けＤＢ
７…自動車メーカー端末
８…オーディオメーカー端末
９…販売店端末
１１…音源
１２…ＤＳＰ
１３…増幅器
１４…スピーカ
１５…マイコン
１６…マイク
１７…入力部
１８…Ａ／Ｄ変換器
１９…ユーザ端末
２１…音響調整サービス選択ボタン
２２…取付けサービス選択ボタン
２３…自動車名入力枠
２４…オーディオ機器入力枠
２５…音場特性選択ボタン
２６…ｆ特性選択ボタン
２７…ＯＫボタン
２８…オーディオ製品名入力枠
２９…既存のオーディオ製品名入力枠タン
３０…交換機器の製品名入力枠
３１…追加機器の製品名入力枠
３２…発注ボタン
３３…派遣要請ボタン
３４…キャンセルボタン
【図１】
0004187391.tif 000002
【図２】
0004187391.tif 000003
【図３】
0004187391.tif 000004
【図４】
0004187391.tif 000005
【図５】
0004187391.tif 000006
【図６】
0004187391.tif 000007